(57)【要約】      （修正有）【課題】男性生殖器の皮下神経を一時的に麻痺させ、皮下神経の敏感度を一時的に下げることができる経皮的刺激器を提供する。【解決手段】神経敏感度を下げる経皮的刺激器の電気刺激器２は、制御回路２１と、少なくとも２つの電極２２及び電源供給ユニット２３とを備え、電源供給ユニットが電力を制御回路に供給した後、制御回路は刺激電流を生成し、且つ刺激電流を２つの電極に印加する。使用時に電気刺激器をキャリア１に取り付け、キャリアを男性生殖器に被せることによって、２つの電極を皮膚表面に接触させることができる。次に、電気刺激器から生成した刺激電流を２つの電極に印加することによって、皮下神経に対して低強度刺激を行い、皮下神経を一時的に麻痺させる。【選択図】図４
0003205063.tif 000002
【実用新案登録請求の範囲】
【請求項１】
電気刺激器を備えた神経敏感度を下げる経皮的刺激器であって、
前記電気刺激器は、
刺激電流を生成するために用いられる制御回路と、
前記制御回路に電気的に接続することで、前記制御回路より生成する刺激電流を人体へ印加する少なくとも２つの電極と、
前記制御回路に電気的に接続することで、電力を前記制御回路に供給する電源供給ユニットとを備え、
前記刺激電流は２００ＫＨｚ〜８００ＫＨｚの高周波数信号であることを特徴とする、神経敏感度を下げる経皮的刺激器。
【請求項２】
電気刺激器を備えた神経敏感度を下げる経皮的刺激器であって、
前記電気刺激器は、
刺激電流を生成するために用いられる制御回路と、
前記制御回路に電気的に接続することで、前記制御回路より生成する刺激電流を人体へ印加する少なくとも２つの電極と、
前記制御回路に電気的に接続することで、電力を前記制御回路に供給する電源供給ユニットとを備え、
前記刺激電流は０．５ＫＨｚ〜１ＫＨｚの低周波数信号であることを特徴とする、神経敏感度を下げる経皮的刺激器。
【請求項３】
電気刺激器を備えた神経敏感度を下げる経皮的刺激器であって、
前記電気刺激器は、
刺激電流を生成するために用いられる制御回路と、
前記制御回路に電気的に接続することで、前記制御回路より生成する刺激電流を人体へ印加する少なくとも２つの電極と、
前記制御回路に電気的に接続することで、電力を前記制御回路に供給する電源供給ユニットとを備え、
前記刺激電流は２００ＫＨｚ〜８００ＫＨｚの高周波数信号及び０．５ＫＨｚ〜１ＫＨｚの低周波数信号から成る混合信号であることを特徴とする、神経敏感度を下げる経皮的刺激器。
【請求項４】
前記刺激電流の高周波数信号は連続波であることを特徴とする、請求項１、または請求項３に記載の神経敏感度を下げる経皮的刺激器。
【請求項５】
前記刺激電流の高周波数信号は間欠パルスであることを特徴とする、請求項１、または請求項３に記載の神経敏感度を下げる経皮的刺激器。
【請求項６】
前記刺激電流の低周波数信号の周波数は２Ｈｚ〜３０Ｈｚであることを特徴とする、請求項２、または請求項３に記載の神経敏感度を下げる経皮的刺激器。
【請求項７】
前記刺激電流の低周波数信号は連続波であることを特徴とする、請求項２、または請求項３に記載の神経敏感度を下げる経皮的刺激器。
【請求項８】
前記刺激電流の低周波数信号は間欠パルスであることを特徴とする、請求項２、または請求項３に記載の神経敏感度を下げる経皮的刺激器。
【請求項９】
前記電気刺激器はキャリアに設けられ、前記キャリアは環状体であり、前記環状体は、可撓性を有する弾性材料で作られ、前記環状体には中空状のスリーブ部が設けられると同時に、前記環状体の外部表面には外環面が設けられ、且つ前記スリーブ部側に位置する内部表面には内環面が設けられており、前記環状体は収容空間を更に備え、前記収容空間には少なくとも２つの穿孔が設けられており、各前記穿孔は前記内環面に隣接し、前記電気刺激器は前記収容空間に設けられ、前記２つの電極は前記収容空間の穿孔に設置されると同時に、内環面から露出することを特徴とする、請求項１、請求項２、または請求項３に記載の神経敏感度を下げる経皮的刺激器。
【請求項１０】
前記電気刺激器はキャリアに設けられ、前記キャリアは帯体であることを特徴とする、請求項１、請求項２、または請求項３に記載の神経敏感度を下げる経皮的刺激器。
【請求項１１】
前記制御回路には２本の伝送線が設けられ、前記２本の伝送線はそれぞれ前記２つの電極に電気的に接続されることを特徴とする、請求項１、請求項２、または請求項３に記載の神経敏感度を下げる経皮的刺激器。
【請求項１２】
前記電源供給ユニットは、取り外し可能なバッテリーを備えた電源モジュールであることを特徴とする、請求項１、請求項２、または請求項３に記載の神経敏感度を下げる経皮的刺激器。
【請求項１３】
前記電源供給ユニットは、内嵌式充電バッテリーを備えた電源モジュールであることを特徴とする、請求項１、請求項２、または請求項３に記載の神経敏感度を下げる経皮的刺激器。
【考案の詳細な説明】
【技術分野】
【０００１】
本考案は神経敏感度を下げる経皮的刺激器に関し、特に、男性の生殖器の皮下神経に対して低強度刺激を行うことで神経敏感度を下げる経皮的刺激器に関するものである。
【背景技術】
【０００２】
現代の忙しい社会では、人々は忙しい仕事が原因で大きなストレスを抱えているため、しばしば肉体的にも精神的にも疲れを感じ、多くの人の性生活にも相互的に影響を与えている。性交中に男女両方を満足させるために、現在の市場では、すでにさまざまなアダルトグッズがあり、性交中の男女はアダルトグッズを使用することで行為中の雰囲気を高めている。
【０００３】
既知のアダルトグッズの中で最も一般的なのは、振動マッサージ装置である。ただ、現在の振動マッサージ装置は単に振動の方式で触覚を刺激することで、男女性交時の雰囲気を支援するものである。しかしながら、男女に満足のいく性生活を過させるためには、男性の性持久力が最も重要な要因となるが、現在の振動マッサージ装置では、男性の性持久力を効果的に向上させることができない。
【０００４】
よって、男性の性持久力を高めるために、現在の市場では、男性の性持久力を改善するさまざまな薬物が販売されている。しかし、既存の薬物には多くの場合、麻薬成分、または有害な化学成分が含まれており、このような成分が一旦、皮膚に吸収されると、人体に好ましくない副作用をもたらす可能性がある。
【考案の概要】
【考案が解決しようとする課題】
【０００５】
本考案は、皮下神経に対して低強度刺激を行うことで、皮下神経を一時的に麻痺させることによって、皮下神経の敏感度を一時的に下げることができる神経敏感度を下げる経皮的刺激器を提供することを課題とする。
【課題を解決するための手段】
【０００６】
本考案に係る神経敏感度を下げる経皮的刺激器は電気刺激器を備える。この電気刺激器は、制御回路と、少なくとも２つの電極及び電源供給ユニットとを備える。制御回路は刺激電流を生成するために用いられ、前記刺激電流は２００ＫＨｚ〜８００ＫＨｚの高周波数信号である。少なくとも２つの電極は前記制御回路に電気的に接続することで、前記制御回路より生成する刺激電流を人体へ印加する。電源供給ユニットは前記制御回路と電気的に接続することで、電力を前記制御回路に供給する。
【０００７】
本考案に係るもう１つの神経敏感度を下げる経皮的刺激器は、電気刺激器を備える。上記電気刺激器は、制御回路と、少なくとも２つの電極及び電源供給ユニットとを備える。制御回路は刺激電流を生成するために用いられ、前記刺激電流は０．５ＫＨｚ〜１ＫＨｚの低周波数信号である。少なくとも２つの電極と前記制御回路は電気的に接続することで、前記制御回路より生成する刺激電流を人体へ印加する。電源供給ユニットは前記制御回路と電気的に接続することで、電力を前記制御回路に供給する。
【０００８】
本考案に係る他の神経敏感度を下げる経皮的刺激器は、電気刺激器を備える。上記電気刺激器は、制御回路と、少なくとも２つの電極及び電源供給ユニットとを備える。制御回路は刺激電流を生成するために用いられ、前記刺激電流は２００ＫＨｚ〜８００ＫＨｚの高周波数信号及び０．５ＫＨｚ〜１ＫＨｚの低周波数信号から成る混合信号である。少なくとも２つの電極は前記制御回路と電気的に接続することで、前記制御回路より生成する刺激電流を人体へ印加する。電源供給ユニットは前記制御回路と電気的に接続することで、電力を前記制御回路に供給する。
【０００９】
本考案に係る神経敏感度を下げる経皮的刺激器の電気刺激器は、制御回路と、少なくとも２つの電極及び電源供給ユニットとを備え、電源供給ユニットが電力を制御回路に供給した後、制御回路は刺激電流を生成し、且つ刺激電流を２つの電極に印加する。使用時に電気刺激器をキャリアに取り付け、キャリアを男性生殖器に被せることによって、２つの電極は男性生殖器の皮膚表面に接触することができる。次に、電気刺激器から生成した刺激電流を２つの電極に印加することによって、皮下神経に対して低強度刺激を行い、男性生殖器の皮下神経を一時的に麻痺させることにより、生殖器の皮下神経の敏感度を一時的に下げることができる。よって、本考案は男性の性持久力を効果的に高められるとともに、現在の男性の性持久力に関する薬物が人体に対してよくない副作用をもたらすといった欠点を排除することができる。
【００１０】
本考案の神経敏感度を下げる経皮的刺激器において、電気刺激器は、人体のその他の部位、例えば、手首、または指の皮下神経に対して低強度刺激を行うことができる。また、電気刺激器から生成する刺激電流を２つの電極に印加し、２つの電極を刺激したい部位に接触させることで、刺激したい部位の皮下神経に対して低強度刺激を行い、刺激したい部位の皮下神経を一時的に麻痺させ、刺激したい部位の皮下神経の敏感度を一時的に下げることで、刺激したい部位の神経の痛みを効果的に低減、緩和させることができる。
【００１１】
本考案の有益な効果は、電気刺激器によって、皮下神経に対して低強度刺激を行い、皮下神経を一時的に麻痺させ、皮下神経の敏感度を一時的に下げられる点にある。例えば、キャリアを男性生殖器に被せることによって、２つの電極を男性生殖器の皮膚表面に接触させてから、電気刺激器から生成する刺激電流を２つの電極に印加し、皮下神経に対して低強度刺激を行い、男性生殖器の皮下神経を一時的に麻痺させることで、生殖器の皮下神経の敏感度を一時的に下げることができる。よって、本考案は男性の性持久力を効果的に向上させることができるとともに、男性の性持久力に関する薬物が人体に好ましくない副作用をもたらすといった欠点を排除することができる。また、本考案はさらに手首、または指などの他の部位に応用することができ、電気刺激器から生成する刺激電流を２つの電極に印加し、２つの電極を刺激したい部位に接触させることで、刺激したい部位の皮下神経に対して低強度刺激を行い、刺激したい部位の皮下神経を一時的に麻痺させ、刺激したい部位の皮下神経の敏感度を一時的に下げることで、刺激したい部位の神経の痛みを効果的に低減、緩和させることができる。
【図面の簡単な説明】
【００１２】
【図１】本考案の第１実施例に係る神経敏感度を下げる経皮的刺激器の外観図である。
【図２】本考案の第１実施例に係る神経敏感度を下げる経皮的刺激器の分解図である。
【図３】本考案の第１実施例に係る神経敏感度を下げる経皮的刺激器の局部断面拡大図である。
【図４】本考案の第１実施例に係る神経敏感度を下げる経皮的刺激器の局部断面図である。
【図５】本考案の第２実施例に係る神経敏感度を下げる経皮的刺激器の側面断面図である。
【図６】本考案の第３実施例に係る神経敏感度を下げる経皮的刺激器の概略図である。
【考案を実施するための形態】
【００１３】
本考案のその他の特徴、長所及びその達成できる効果を審査官が簡潔に理解でき、且つ解り易いように説明するために、関連する図面を参照しながら、本考案のその他の特徴及び長所を以下の通りに説明する。以下の実施例は本考案の内容を更に詳しく説明するものであり、いずれの方面からも本考案の権利範囲を制限するものではない。
【実施例１】
【００１４】
まず、図１から図４を参照されたい。本考案は神経敏感度を下げる経皮的刺激器を開示し、特に、男性生殖器に被せることのできる神経敏感度を下げる経皮的刺激器を開示する。本考案について、ここで１つの実施例を挙げて説明する。前記実施例の神経敏感度を下げる経皮的刺激器は電気刺激器２を備え、この電気刺激器２はキャリアに設けられ、キャリアは環状体１、またはその他の物体である。
【００１５】
この環状体１は中空状のスリーブ部１０を設けることで、環状を呈する。環状体１の外部表面には外環面１１が設けられ、スリーブ部１０側に位置する内部表面には内環面１２が設けられると同時に、環状体１は収容空間１３を更に備える。収容空間１３の開口端は外環面１１に隣接し、且つ収容空間１３の底部には少なくとも２つの穿孔１３１が設けられ、この２つの穿孔１３１は内環面１２と隣接すると同時に、スリーブ部１０と互いに貫通する。また、環状体１は蓋体１４を更に有し、蓋体１４は収容空間１３の開口端に嵌合させることができる。環状体１は、可撓性を有する弾性材料で作られ、環状体１は、スロット１５を更に設けることで、弾性変形可能に拡張することができる。
【００１６】
電気刺激器２は環状体１の収容空間１３に設置することができる。電気刺激器２は、制御回路２１と、少なくとも２つの電極２２及び電源供給ユニット２３とを備える。制御回路２１は刺激電流を生成するために用いられる。少なくとも２つの電極２２は制御回路２１と電気的に接続することで、制御回路２１より生成する刺激電流を人体へ印加する。同時に、２つの電極２２は収容空間１３の穿孔１３１に設置するとともに、内環面１２から露出し、即ち、２つの電極２２は環状体１のスリーブ部１０から相対的に露出する。電源供給ユニット２３は制御回路２１と電気的に接続することで、電力を制御回路２１に供給し、電源供給ユニット２３は取り外し可能なバッテリーを備えた電源モジュール、または内嵌式充電バッテリーを備えた電源モジュールである。本考案について、更に１つの実施態様を挙げて説明する。例えば、電源供給ユニット２３は、取り外し可能なバッテリーを備えた電源モジュールであり、１つのバッテリーホルダ２３１及び少なくとも１つのバッテリー２３２を備え、前記バッテリーホルダ２３１は正極端子、負極端子を有すると同時に、制御回路２１に電気的に接続され、このバッテリー２３２はバッテリーホルダ２３１に設置されると同時に、バッテリーホルダ２３１の正極端子、負極端子に電気的に接続される。次に、電源供給ユニット２３は電力を制御回路２１に供給し、制御回路２１は刺激電流を生成すると同時に、刺激電流を２つの電極２２に印加する。
【００１７】
制御回路２１から生成する刺激電流を高周波信号とすることは可能であり、この高周波信号の周波数は２００ＫＨｚ〜８００ＫＨｚである。また、前記制御回路２１から生成する刺激電流を低周波信号とすることも可能であり、この低周波信号の周波数は０．５ＫＨｚ〜１ＫＨｚであり、また、低周波信号のより好ましい周波数は２ＫＨｚ〜３０ＫＨｚである。また、制御回路２１から生成する刺激電流を、高周波数信号と低周波数信号から成る混合信号とすることも可能であり、高周波数信号の周波数は２００ＫＨｚ〜８００ＫＨｚであり、低周波信号の周波数は０．５ＫＨｚ〜１ＫＨｚであり、また、低周波信号のより好ましい周波数は２ＫＨｚ〜３０ＫＨｚである。注意すべきことは、制御回路２１から生成する刺激電流の高周波数信号、または低周波信号は、連続波、もしくは間欠パルスであり、且つ高周波数信号、または低周波信号の波形は正弦波、三角波、方形波、もしくはその他の波形である。
【００１８】
また、電気刺激器２を環状体１の収容空間１３に設置し、制御回路２１を収容空間１３の底面に設置することもできる。２つの電極２２はそれぞれ制御回路２１の底部に電気的に接続されると同時に、穿孔１３１に設置され且つそれぞれ内環面１２から露出する。電源供給ユニット２３のバッテリーホルダ２３１を制御回路２１の上部に電気的に接続し、且つ電源供給ユニット２３のバッテリー２３２をバッテリーホルダ２３１に設置することが可能である。また、環状体１に設けられた蓋体１４は収容空間１３の開口端に密封可能に嵌合され、電気刺激器２を収容空間１３に密封するために用いられる。
【００１９】
電気刺激器２は制御スイッチ２４と指示ランプ２５を更に備える。制御スイッチ２４は制御回路２１に電気的に接続され、制御回路２１に対してオン/オフ制御を行うと同時に、制御スイッチ２４は環状体１に設置され且つ外環面１１から露出する。指示ランプ２５は制御回路２１に電気的に接続されると同時に、指示ランプ２５は環状体１に設けられ且つ外環面１１から露出する。
【００２０】
環状体１のスリーブ部１０を男性生殖器に被せることによって、電気刺激器２の２つの電極２２を男性生殖器の皮膚表面に接触させることができる。電気刺激器２の制御回路２１がオンの状態である時、制御回路２１から生成する刺激電流を２つの電極２２に印加し、前記２つの電極２２が刺激電流を人体に印加し、皮下神経に対して低強度刺激を行い、男性生殖器の皮下神経を一時的に麻痺させることが可能であり、これによって、男性生殖器の皮下神経の敏感度を一時的に下げることができる。よって、男性の性持久力を効果的に高め、現在の男性の性持久力に関する薬物が人体に対して好ましくない副作用をもたらすといった欠点を排除することができる。
【実施例２】
【００２１】
図５を参照されたい。本考案について、更にもう１つの実施例を挙げて説明する。本実施例の電気刺激器２はキャリアに設けられ、キャリアは帯体３である。帯体３を男性生殖器に被せることによって、電気刺激器２の２つの電極２２を男性生殖器の皮膚表面に接触させてから、制御回路２１から生成する刺激電流を２つの電極２２に印加することで、この２つの電極２２は皮下神経に対して低強度刺激を行い、男性生殖器の皮下神経を一時的に麻痺させることができる。
【実施例３】
【００２２】
図６を参照されたい。本考案について、更にもう１つの実施例を挙げて説明する。本実施例の電気刺激器２は、キャリアに載置せずに、単独で使用することができる。同時に、制御回路２１には２本の伝送線２１１が設けられ、前記２本の伝送線２１１はそれぞれこの２つの電極２２に電気的に接続する。使用時に、２つの電極２２を直接男性生殖器の皮膚表面に接触させ、制御回路２１から生成する刺激電流を２つの電極２２に印加することで、この２つの電極２２は皮下神経に対して低強度刺激を行い、男性生殖器の皮下神経を一時的に麻痺させることができる。
【００２３】
また、本考案の神経敏感度を下げる経皮的刺激器は、男性生殖器の皮下神経に対して低強度刺激を行える以外に、制御回路２１から生成する高周波信号の刺激電流を利用して、人体のその他の部位（例えば、手首や指など）の神経に対して低強度刺激を行うことも可能である。使用時、２つの電極２２を刺激したい部位に直接接触させることで、制御回路２１から生成する刺激電流を２つの電極２２に印加し、この２つの電極２２が刺激したい部位の皮下神経に対して低強度刺激を行い、刺激したい部位の皮下神経を一時的に麻痺させる。そうすることで、刺激したい部位の皮下神経の敏感度を下げ、刺激したい部位の神経の痛みを効果的に低減、緩和させることができる。
【符号の説明】
【００２４】
１      環状体
１０    スリーブ部
１１    外環面
１２    内環面
１３    収容空間
１３１  穿孔
１４    蓋体
１５    スロット
２      電気刺激器
２１    制御回路
２１１  伝送線
２２    電極
２３    電源供給ユニット
２３１  バッテリーホルダ
２３２  バッテリー
２４    制御スイッチ
２５    指示ランプ
３      帯体
【図１】
0003205063.tif 000003
【図２】
0003205063.tif 000004
【図３】
0003205063.tif 000005
【図４】
0003205063.tif 000006
【図５】
0003205063.tif 000007
【図６】
0003205063.tif 000008